(57)【要約】      （修正有）【課題】自動で発音源の方向を向く音声識別回転台を提供する。【解決手段】ターンテーブル１０と、本体ケース２０と、駆動ユニット３０からなり、本体ケースは複数の音センサー２１を備え、駆動ユニットは、制御回路、駆動回路、モーター、駆動機構を備え、制御回路は音声識別モジュールを備え、駆動回路に接続され、駆動回路はモーターに接続され、モーターは駆動機構を連動させ、駆動機構はターンテーブルを連動させる。音センサーにより、対応する角度の音がそれぞれ収集され、音声信号に変換されると、音声識別モジュールに送信され、音声信号の電圧の大きさに基づき、音センサーにより最大音量の音が識別され、駆動回路により、所定の対応するパラメーターのコマンドに従い、モーターシャフトを駆動させ一方向に回転させて駆動機構とターンテーブルを連動させて最大音を收集した音センサーに向けさせる。【選択図】図２
0003226778.tif 000002
【実用新案登録請求の範囲】
【請求項１】
ターンテーブルと、本体ケースと、駆動ユニットと、を備えた音声識別回転の
構造であって、
前記本体ケースは、前記ターンテーブルの下方に設けられ、前記本体ケースは、複数の音センサーを備え、
前記駆動ユニットは、前記本体ケースに設けられ、前記駆動ユニットは、制御回路と、駆動回路と、モーターと、駆動機構を備え、そのうち、前記制御回路は、音声識別モジュールを備えるとともに、前記駆動回路に接続され、前記駆動回路は、前記モーターに接続され、前記モーターは、前記駆動機構を連動させ、前記駆動機構は、前記ターンテーブルを連動させ、
前記音センサーにより、対応する角度の音がそれぞれ収集されるとともに、音声信号に変換されると、音声識別モジュールに送信され、さらに、音声信号の電圧の大きさに基づいて、音センサーにおいて最大音量の音が識別され、さらに、前記駆動回路によって、所定の対応するパラメーターのコマンドに従って、前記モーターシャフトを駆動させて一方向に回転させることで、前記駆動機構と、前記ターンテーブルを連動させ、さらに、前記ターンテーブルの角度を最大音量の音を収集した音センサーの方向を向くように回転させることを特徴とする音声識別回転台。
【請求項２】
前記複数の音センサーは、０度、１２０度、２４０度に応じて円周上に配列されるとともに、異なる方向を向くことを特徴とする、請求項１に記載の音声識別回転台。
【請求項３】
前記本体ケースは、筐体と、台座と、電源カバーと、からなり、前記筐体における対応する各音センサーには、複数の開孔部が設けられることで、音が収集されることを特徴とする、請求項１に記載の音声識別回転台。
【請求項４】
前記台座には、スピーカーが設けられることを特徴とする、請求項１に記載の音声識別回転台。
【請求項５】
前記駆動ユニットは、複数の収容部を備え、前記複数の収容部は、前記複数の音センサーに対応し、前記各収容部には、位置決めスイッチが設けられ、前記位置決めスイッチは、前記駆動回路と前記モーターに電気的に接続され、前記駆動機構の出力軸には、駆動軸が套設され、前記駆動軸は、突部を備え、前記駆動機構が出力軸を回転させる際、前記駆動軸を動かして回転させるとともに、前記突部が前記位置決めスイッチに接触するようにさせ、さらに、前記駆動回路と前記モーターの電源を切断することで、前記モーターにより、前記駆動機構と、前記ターンテーブルの駆動を停止させることを特徴とする、請求項１に記載の音声識別回転台。
【請求項６】
前記駆動機構は、減速ギアセットであることを特徴とする、請求項１に記載の音声識別回転台。
【請求項７】
前記ターンテーブルには、人形、または、テーマとなる物のうちのいずれかが設置されることを特徴とする、請求項１に記載の音声識別回転台。
【考案の詳細な説明】
【技術分野】
【０００１】
本考案は、回転台に関し、特に、音声による識別が可能で自動で発音源の方向を向く音声識別回転台に関する。
【背景技術】
【０００２】
従来の回転台は、例えば、店舗が商品を展示するための回転台であるが、それは、主に、商品を回転台に置き、回転台の動きによって陳列された商品を消費者に見せることを目的としている。しかしながら、前記商品用の回転台は、単純な回転機能を備えるのみであり、付加機能を一切持ち合わせていないため、その機能は、理想的とは言えない。
【０００３】
さらに、現在、業界には、音が聞こえると音声源の方向に向かって歩いていく犬の玩具が存在するが、本考案によって達成される、音源を検出すると、ターンテーブルが音源の方向を向くという機能を備えていない。前記犬の玩具も本考案のように、ターンテーブルに人形、テーマとなる物を設置することで面白みを持たせることはできていないとともに、実用的ではない。
【考案の概要】
【考案が解決しようとする課題】
【０００４】
本考案は、音源方向を検出すると、ターンテーブルが音源の方向を向くように回転させることができる音声識別回転台の構造を提供することを目的とする。
【課題を解決するための手段】
【０００５】
上述の目的を達成するため、本考案は、ターンテーブルと、本体ケースと、駆動ユニットと、を備える。そのうち、前記本体ケースは、前記ターンテーブルの下方に設けられ、前記本体ケースは、複数の音センサーを備える。前記駆動ユニットは、前記本体ケースに設けられ、前記駆動ユニットは、制御回路と、駆動回路と、モーターと、駆動機構を備え、そのうち、前記制御回路は、音声識別モジュールを備えるとともに、前記駆動回路に接続され、前記駆動回路は、前記モーターに接続され、前記モーターは、前記駆動機構を連動させ、前記駆動機構は、前記ターンテーブルを連動させる。前記音センサーにより、対応する角度の音がそれぞれ収集されるとともに、音声信号に変換されると、音声識別モジュールに送信され、さらに、音声信号の電圧の大きさに基づいて、音センサーにおいて最大音量の音が識別され、さらに、前記駆動回路によって、所定の対応するパラメーターのコマンドに従って、前記モーターシャフトを駆動させて一方向に回転させることで、前記駆動機構と、前記ターンテーブルを連動させ、さらに、前記ターンテーブルの角度を、最大音量の音を收集した音センサーの方向を向くように回転させる。
【考案の効果】
【０００６】
本考案は、音源を検出すると、ターンテーブルが音源の方向を向くように回転させることができる。
【０００７】
本考案は、さらに、ターンテーブルに人形を設置できるようにすることで、テーマとなる物が面白みを備えるとともに、実用性を備える。
【図面の簡単な説明】
【０００８】
【図１】本考案の斜視図である。
【図２】本考案の構造の斜視分解図である。
【図３】本考案における駆動ユニットの構造分解図である。
【図４】本考案の駆動制御システムのブロック・フローチャートである。
【図５】本考案における別の実施例の斜視図である。
【考案を実施するための形態】
【０００９】
参照する図１から図４に示す通り、本考案は、ターンテーブル１０と、本体ケース２０と、駆動ユニット３０と、からなる。以下に詳しく説明する。
【００１０】
前記本体ケース２０は、前記ターンテーブル１０の下方に設けられ、前記本体ケース２０は、複数の音センサー２１を備える。本実施例では、３つの音センサー２１が設けられているが、これに制限されない。
【００１１】
前記駆動ユニット３０は、前記本体ケース２０の中に設けられ、前記駆動ユニット３０の構造は、制御回路３１と、駆動回路３２と、モーター３３と、駆動機構３４を備え、そのうち、前記制御回路３１は、音声識別モジュール（未図示）を備えるとともに、前記駆動回路３２に接続され、前記駆動回路３２は、前記モーター３３に接続され、前記モーター３３は、前記駆動機構３４を連動させ、前記駆動機構３４は、前記ターンテーブル１０を連動させる。
【００１２】
前記音センサー２１により、対応する角度の音がそれぞれ収集されるとともに、音声信号に変換されると、音声識別モジュールに送信され、音声信号の電圧の大きさに基づいて、音センサー２１において最大音量の音が識別され、さらに、前記駆動回路３２により、所定の対応するパラメーターのコマンドに従って、前記モーター３３のシャフトを駆動させて一方向に回転させることで、前記駆動機構３４と、前記ターンテーブル１０を連動させ、さらに、前記ターンテーブル１０の角度を、最大音量の音を收集した音センサー２１の方向を向くように回転させる。
【００１３】
本考案により、音源を検出すると、ターンテーブル１０が音源の方向を向くように回転させることができる。
【００１４】
さらに、説明すべき点として、音センサー２１が音を受信し始めると、初めに受信した音に基づいて判定が行われ、制御回路３１が判定された位置を受信すると、モーター３３を回転させるが、モーター３３が回転する間は音を受信しない、つまり、設定された位置に到達するまでは音を受信することはなく、判定された位置にまで回転し終わってから再び音が受信される。つまり、モーター３３が通電され、前記ターンテーブル１０を駆動させて回転させると、前記時間内は、音の受信が行われず、制御回路３１は、一時的に音を受信しない時間の長さを自ら検出することができる。
【００１５】
実施例において、前記複数の音センサー２１は、０度、１２０度、２４０度に応じて円周上に配列されるとともに、異なる方向を向く。
【００１６】
実施例において、前記本体ケース２０は、筐体２２と、台座２３と、電源カバー２４と、からなり、前記筐体２２の対応する各音センサー２１には、複数の開孔部２２１が設けられ、音が開孔部２２１を通ることで、音センサー２１が効果的に音を収集することができるようにし、前記台座２３には、スピーカー２３１が設けられ、電源カバー２４は、取り外し可能な構造であることができ、電源カバー２４から電池を入れることができることで、前記モーター３３に電源が提供される。
【００１７】
実施例において、前記駆動ユニット３０は、複数の収容部３５を備え、前記複数の収容部３５は、前記複数の音センサー２１に対応し、前記各収容部３５には、位置決めスイッチ３６が設けられ、前記位置決めスイッチ３６は、前記駆動回路３２と、前記モーター３３に電気的に接続される。前記駆動機構３４の出力軸３４１には、駆動軸３７が套設され、前記駆動軸３７は、突部３７１を備え、前記駆動機構３４が出力軸３４１を回転させる際、前記駆動軸３７を動かして回転させるとともに、前記突部３７１が前記位置決めスイッチ３６に接触するようにさせて、前記駆動回路３２と前記モーター３３の電源を切断することで、前記モーター３３により、前記駆動機構３４と、前記ターンテーブル１０の駆動が停止される。
【００１８】
従って、前記モーター３３により、前記ターンテーブル１０が回転し、その角度が最大音量の音を収集したセンサー２１の方向を向くと、回転は自動で即座に停止され、前記ターンテーブル１０は回転しなくなり、さらに、前記ターンテーブル１０の角度が動く際、確実に位置決めされることができる。
【００１９】
実施例において、前記駆動機構３４は、減速ギアセットである。
【００２０】
参照する図５に示す通り、実施例において、前記ターンテーブル１０には、人形、または、テーマとなる物のうちのいずれかを設置することができる。
【００２１】
本実施例では、前記ターンテーブル１０には、動物の形をした観賞用の人形「招き猫４０」が設けられ、テーマとなる物がディスプレイされる。前記ターンテーブル１０が音が発生した音源の方向まで回転すると、手が自動で揺れ動くことで、面白みを備えるとともに、実用性を備える。
【符号の説明】
【００２２】
１０  ターンテーブル
２０  本体ケース
２１  音センサー
２２  筐体
２３  台座
２４  電源カバー
２２１  開孔部
２３１  スピーカー
３０  駆動ユニット
３１  制御回路
３２  駆動回路
３３  モーター
３４  駆動機構
３５  収容部
３６  位置決めスイッチ
３７  駆動軸
３４１  出力軸
３７１  突部
４０  招き猫
【図１】
0003226778.tif 000003
【図２】
0003226778.tif 000004
【図３】
0003226778.tif 000005
【図４】
0003226778.tif 000006
【図５】
0003226778.tif 000007
【手続補正書】
【提出日】令和2年3月10日(2020.3.10)
【手続補正１】
【補正対象書類名】実用新案登録請求の範囲
【補正対象項目名】全文
【補正方法】変更
【補正の内容】
【実用新案登録請求の範囲】
【請求項１】
ターンテーブルと、本体ケースと、駆動ユニットと、を備えた音声識別回転の 構造であって、前記本体ケースは、前記ターンテーブルの下方に設けられ、前記本体ケースは、複数の音 センサーを備え、
前記駆動ユニットは、前記本体ケースに設けられ、前記駆動ユニットは、制御回路と、駆動回路と、モーターと、駆動機構を備え、そのうち、前記制御回路は、音声識別モジュールを備えるとともに、前記駆動回路に接続され、前記駆動回路は、前記モーターに接続され、前記モーターは、前記駆動機構を連動させ、前記駆動機構は、前記ターンテーブルを連動させ、
前記音センサーにより、対応する角度の音がそれぞれ収集されるとともに、音声信号に変換されると、音声識別モジュールに送信され、さらに、音声信号の電圧の大きさに基づいて、音センサーにおいて最大音量の音が識別され、さらに、前記駆動回路によって、所定の対応するパラメーターのコマンドに従って、前記モーターのシャフトを駆動させて一方向に回転させることで、前記駆動機構と、前記ターンテーブルを連動させ、さらに、前記ターンテーブルの角度を最大音量の音を収集した音センサーの方向を向くように回転させることを特徴とする音声識別回転台。
【請求項２】
前記複数の音センサーは、０度、１２０度、２４０度に応じて円周上に配列されるとともに、異なる方向を向くことを特徴とする、請求項１に記載の音声識別回転台。
【請求項３】
前記本体ケースは、筐体と、台座と、電源カバーと、からなり、前記筐体における対応する各音センサーには、複数の開孔部が設けられることで、音が収集されることを特徴とする、請求項１に記載の音声識別回転台。
【請求項４】
前記台座には、スピーカーが設けられることを特徴とする、請求項３に記載の音声識別回転台。
【請求項５】
前記駆動ユニットは、複数の収容部を備え、前記複数の収容部は、前記複数の音センサーに対応し、前記各収容部には、位置決めスイッチが設けられ、前記位置決めスイッチは、前記駆動回路と前記モーターに電気的に接続され、前記駆動機構の出力軸には、駆動軸が套設され、前記駆動軸は、突部を備え、前記駆動機構が出力軸を回転させる際、前記駆動軸を動かして回転させるとともに、前記突部が前記位置決めスイッチに接触するようにさせ、さらに、前記駆動回路と前記モーターの電源を切断することで、前記モーターにより、前記駆動機構と、前記ターンテーブルの駆動を停止させることを特徴とする、請求項１に記載の音声識別回転台。
【請求項６】
前記駆動機構は、減速ギアセットであることを特徴とする、請求項１に記載の音声識別回転台。
【請求項７】
前記ターンテーブルには、人形、または、テーマとなる物のうちのいずれかが設置されることを特徴とする、請求項１に記載の音声識別回転台。
【手続補正２】
【補正対象書類名】明細書
【補正対象項目名】０００５
【補正方法】変更
【補正の内容】
【０００５】
上述の目的を達成するため、本考案は、ターンテーブルと、本体ケースと、駆動ユニットと、を備える。そのうち、前記本体ケースは、前記ターンテーブルの下方に設けられ、前記本体ケースは、複数の音センサーを備える。前記駆動ユニットは、前記本体ケースに設けられ、前記駆動ユニットは、制御回路と、駆動回路と、モーターと、駆動機構を備え、そのうち、前記制御回路は、音声識別モジュールを備えるとともに、前記駆動回路に接続され、前記駆動回路は、前記モーターに接続され、前記モーターは、前記駆動機構を連動させ、前記駆動機構は、前記ターンテーブルを連動させる。前記音センサーにより、対応する角度の音がそれぞれ収集されるとともに、音声信号に変換されると、音声識別モジュールに送信され、さらに、音声信号の電圧の大きさに基づいて、音センサーにおいて最大音量の音が識別され、さらに、前記駆動回路によって、所定の対応するパラメーターのコマンドに従って、前記モーターのシャフトを駆動させて一方向に回転させることで、前記駆動機構と、前記ターンテーブルを連動させ、さらに、前記ターンテーブルの角度を、最大音量の音を收集した音センサーの方向を向くように回転させる。